(57)【要約】【課題】本発明は、走査線数変換回路に関し、例えばフォーマット変換装置に適用して、ライン内挿処理による画質劣化を有効に回避することができるようにする。【解決手段】本発明は、輝度信号Ｙ及び色差信号Ｐｂ、ＰｒにおけるＹＣ分離の程度を検出し、この検出結果に基づいてライン内挿処理における通過帯域幅（９、１１、１２、１４、１５、１６）を切り換える。【選択図】        図１
2005005826.tif 000002
【特許請求の範囲】
【請求項１】
輝度信号及び色差信号をライン内挿処理して、前記輝度信号及び色差信号によるビデオ信号の走査線数を変換する走査線数変換回路において、
前記輝度信号及び色差信号におけるＹＣ分離の程度を検出する品質検出回路と、
前記品質検出回路による検出結果に基づいて、前記ライン内挿処理における通過帯域幅を切り換える制御回路と
を備えることを特徴とする走査線数変換回路。
【請求項２】
前記品質検出回路は、
クロマ信号のサブキャリア周波数成分を前記輝度信号から抽出するバンドパスフィルタであり、
前記制御回路は、
前記バンドパスフィルタの出力信号レベルを所定のしきい値により判定し、該判定結果により、少なくとも前記輝度信号の処理に係る前記ライン内挿処理の通過帯域幅を切り換える
ことを特徴とする請求項１に記載の走査線数変換回路。
【請求項３】
前記制御回路は、
前記バンドパスフィルタの出力信号レベルが前記しきい値以上の場合、
少なくとも前記輝度信号の処理に係る前記ライン内挿処理の通過帯域幅を狭帯域に切り換え、
前記バンドパスフィルタの出力信号レベルが前記しきい値未満の場合、
少なくとも前記輝度信号の処理に係る前記ライン内挿処理の通過帯域幅を広帯域に切り換える
ことを特徴とする請求項２に記載の走査線数変換回路。
【請求項４】
前記品質検出回路は、
前記色差信号におけるライン相関を検出するライン相関検出回路であり、
前記制御回路は、
前記ライン相関検出回路による検出結果を所定のしきい値により判定し、該判定結果により、少なくとも前記色差信号の処理に係る前記ライン内挿処理の通過帯域幅を切り換える
ことを特徴とする請求項１、請求項２又は請求項３に記載の走査線数変換回路。
【請求項５】
前記制御回路は、
前記ライン相関検出回路による検出結果に基づいて、
前記ライン相関が小さい場合には、少なくとも前記色差信号の処理に係る前記ライン内挿処理の通過帯域幅を狭帯域に切り換え、
前記ライン相関が大きい場合には、少なくとも前記色差信号の処理に係る前記ライン内挿処理の通過帯域幅を広帯域に切り換える
ことを特徴とする請求項４に記載の走査線数変換回路。
【発明の詳細な説明】
【０００１】
【発明の属する技術分野】
本発明は、走査線数変換回路に関し、例えばフォーマット変換装置に適用することができる。本発明は、輝度信号及び色差信号におけるＹＣ分離の程度を検出し、この検出結果に基づいてライン内挿処理における通過帯域幅を切り換えることにより、ライン内挿処理による画質劣化を有効に回避することができるようにする。
【０００２】
【従来の技術】
従来、ビデオ信号のフォーマット変換装置等に適用される走査線数変換回路においては、例えば特開平６−５４３０１号公報に開示のように、ディジタルフィルタを用いたライン内挿処理により走査線数を変換するようになされている。
【０００３】
このようなフォーマット変換装置において、コンポジット信号によるビデオ信号を処理する場合、ＹＣ分離回路によりビデオ信号を輝度信号及びクロマ信号に変換した後、クロマ信号を色差信号にデコードし、これら輝度信号及び色差信号をそれぞれライン内挿処理するようになされている。
【０００４】
またライン内挿処理により走査線数を増大させる場合には、イメージング成分を抑圧するように帯域を制限してライン内挿処理し、ライン内挿処理により走査線数を減少させる場合には、エリアシング成分を抑圧するように帯域を制限してライン内挿処理し、これによりこれらイメージング成分、エリアシング成分による画質劣化を防止するようになされている。
【０００５】
これに対してＹＣ分離においては、ビデオ信号の特性に応じてフィルタリングの特性を適宜切り換える適応型のＹＣ分離回路等が適用されるようになされている。
【０００６】
【特許文献１】
特開平６−５４３０１号公報
【０００７】
【発明が解決しようとする課題】
ところでこの種のフォーマット変換装置におけるＹＣ分離においては、正しくＹＣ分離できない場合がある。この場合、ビデオ信号においては、ライン内挿処理による帯域制限により歪みが発生し、この歪みによる画質劣化が視覚的に顕著に感じ取られてしまう場合がある。
【０００８】
本発明は以上の点を考慮してなされたもので、ライン内挿処理による画質劣化を有効に回避することができる走査線数変換回路を提案しようとするものである。
【０００９】
【課題を解決するための手段】
かかる課題を解決するため請求項１の発明においては、輝度信号及び色差信号をライン内挿処理して、前記輝度信号及び色差信号によるビデオ信号の走査線数を変換する走査線数変換回路に適用して、前記輝度信号及び色差信号におけるＹＣ分離の程度を検出する品質検出回路と、前記品質検出回路による検出結果に基づいて、前記ライン内挿処理における通過帯域幅を切り換える制御回路とを備えるようにする。
【００１０】
また請求項２の発明においては、請求項１の構成において、前記品質検出回路は、クロマ信号のサブキャリア周波数成分を前記輝度信号から抽出するバンドパスフィルタであり、前記制御回路は、前記バンドパスフィルタの出力信号レベルを所定のしきい値により判定し、該判定結果により、少なくとも前記輝度信号の処理に係る前記ライン内挿処理の通過帯域幅を切り換えるようにする。
【００１１】
また請求項３の発明においては、請求項２の構成において、前記制御回路は、前記バンドパスフィルタの出力信号レベルが前記しきい値以上の場合、少なくとも前記輝度信号の処理に係る前記ライン内挿処理の通過帯域幅を狭帯域に切り換え、前記バンドパスフィルタの出力信号レベルが前記しきい値未満の場合、少なくとも前記輝度信号の処理に係る前記ライン内挿処理の通過帯域幅を広帯域に切り換える。
【００１２】
また請求項４の発明においては、請求項１、請求項２又は請求項３の構成において、前記品質検出回路は、前記色差信号におけるライン相関を検出するライン相関検出回路であり、前記制御回路は、前記ライン相関検出回路による検出結果を所定のしきい値により判定し、該判定結果により、少なくとも前記色差信号の処理に係る前記ライン内挿処理の通過帯域幅を切り換える。
【００１３】
また請求項５の発明においては、請求項４の構成において、前記制御回路は、前記ライン相関検出回路による検出結果に基づいて、ライン相関が小さい場合には、少なくとも前記色差信号の処理に係る前記ライン内挿処理の通過帯域幅を狭帯域に切り換え、ライン相関が大きい場合には、少なくとも前記色差信号の処理に係る前記ライン内挿処理の通過帯域幅を広帯域に切り換える。
【００１４】
請求項１の構成により、輝度信号及び色差信号をライン内挿処理して、前記輝度信号及び色差信号によるビデオ信号の走査線数を変換する走査線数変換回路に適用して、前記輝度信号及び色差信号におけるＹＣ分離の程度を検出する品質検出回路と、前記品質検出回路による検出結果に基づいて、前記ライン内挿処理における通過帯域幅を切り換える制御回路とを備えるようにすれば、ＹＣ分離の程度に応じてライン内挿処理における通過帯域幅を切り換えることができ、その分、歪みの発生を防止して画質劣化を有効に回避することができる。
【００１５】
また請求項２の構成により、請求項１の構成において、前記品質検出回路は、クロマ信号のサブキャリア周波数成分を前記輝度信号から抽出するバンドパスフィルタであり、前記制御回路は、前記バンドパスフィルタの出力信号レベルを所定のしきい値により判定し、該判定結果により、少なくとも前記輝度信号の処理に係る前記ライン内挿処理の通過帯域幅を切り換えることにより、具体的に輝度信号を検出対象に設定してＹＣ分離の程度を検出し、ライン内挿処理における通過帯域幅を切り換えることができる。
【００１６】
また請求項３の構成により、請求項２の構成において、前記制御回路は、前記バンドパスフィルタの出力信号レベルが前記しきい値以上の場合、少なくとも前記輝度信号の処理に係る前記ライン内挿処理の通過帯域幅を狭帯域に切り換え、前記バンドパスフィルタの出力信号レベルが前記しきい値未満の場合、少なくとも前記輝度信号の処理に係る前記ライン内挿処理の通過帯域幅を広帯域に切り換えることにより、輝度信号を検出対象に設定した場合に、具体的に通過帯域を切り換えて画質劣化を有効に回避することができる。
【００１７】
また請求項４の構成により、請求項１、請求項２又は請求項３の構成において、前記品質検出回路は、前記色差信号におけるライン相関を検出するライン相関検出回路であり、前記制御回路は、前記ライン相関検出回路による検出結果を所定のしきい値により判定し、該判定結果により、少なくとも前記色差信号の処理に係る前記ライン内挿処理の通過帯域幅を切り換えることにより、具体的に色差信号を検出対象に設定してＹＣ分離の程度を検出し、ライン内挿処理における通過帯域幅を切り換えることができる。
【００１８】
また請求項５の構成により、請求項４の構成において、前記制御回路は、前記ライン相関検出回路による検出結果に基づいて、ライン相関が小さい場合には、少なくとも前記色差信号の処理に係る前記ライン内挿処理の通過帯域幅を狭帯域に切り換え、ライン相関が大きい場合には、少なくとも前記色差信号の処理に係る前記ライン内挿処理の通過帯域幅を広帯域に切り換えることにより、色差信号を検出対象に設定した場合に、具体的に通過帯域を切り換えて画質劣化を有効に回避することができる。
【００１９】
【発明の実施の形態】
以下、適宜図面を参照しながら本発明の実施の形態を詳述する。
【００２０】
（１）第１の実施の形態
（１−１）第１の実施の形態の構成
図１は、本発明の第１の実施の形態に係るフォーマット変換装置を示すブロック図である。このフォーマット変換装置１においては、コンポジットによるビデオ信号ＳＶの走査線数を走査線数変換回路２により変換した後、後処理回路３により画素数、フィールド周波数を変換することにより、このビデオ信号ＳＶのフォーマットを所望のフォーマットに変換して出力する。
【００２１】
すなわちこのフォーマット変換装置１において、ＹＣ分離回路４は、ビデオ信号ＳＶをＹＣ分離して輝度信号Ｙ及びクロマ信号Ｃを出力し、デコーダ５は、このクロマ信号Ｃを色差信号Ｐｂ、Ｐｒにデコードして出力する。
【００２２】
これによりこの実施の形態においては、ＹＣ分離回路４において、正しくＹＣ分離できない場合には、クロマ信号Ｃにより色差信号Ｐｂ、Ｐｒが輝度信号Ｙに混入し、またこれとは逆に色差信号Ｐｂ、Ｐｒに輝度信号成分が漏れ込むことになる。このフォーマット変換装置１の走査線数変換回路２においては、このようなＹＣ分離の程度を検出し、この検出結果に応じてライン内挿処理による通過帯域幅を切り換え、これによりこのような漏れ込んだ成分による妨害を防止して歪みの発生を防止し、画質劣化を有効に回避する。
【００２３】
すなわち走査線数変換回路２において、遅延回路（Ｄ）７及び８は、それぞれ輝度信号Ｙ及び色差信号Ｐｂ、Ｐｒを所定時間だけ遅延させて出力する。選択回路９は、判定回路２０による制御により接点を切り換え、遅延回路７から出力される輝度信号Ｙを広帯域ライン内挿フィルタ１１又は狭帯域ライン内挿フィルタ１２に出力する。ここで広帯域ライン内挿フィルタ１１及び狭帯域ライン内挿フィルタ１２は、それぞれ通過帯域幅が広帯域及び狭帯域に設定されてなるライン内挿処理用のディジタルフィルタである。この走査線数変換回路２では、この広帯域ライン内挿フィルタ１１及び狭帯域ライン内挿フィルタ１２の出力信号が後処理回路３で処理されるようになされ、これにより選択回路９における接点の切り換えにより、輝度信号Ｙについて、ライン内挿処理における通過帯域幅を切り換えることができるようになされている。
【００２４】
選択回路１４は、判定回路２０による制御により接点を切り換え、遅延回路８から出力される色差信号Ｐｂ、Ｐｒを広帯域ライン内挿フィルタ１５又は狭帯域ライン内挿フィルタ１６に出力する。ここで広帯域ライン内挿フィルタ１５及び狭帯域ライン内挿フィルタ１６は、それぞれ広帯域ライン内挿フィルタ１１及び狭帯域ライン内挿フィルタ１２に対応するライン内挿処理用のディジタルフィルタであり、それぞれ通過帯域幅が広帯域及び狭帯域に設定されるようになされている。この走査線数変換回路２では、この広帯域ライン内挿フィルタ１５及び狭帯域ライン内挿フィルタ１６の出力信号が後処理回路３で処理されるようになされ、これにより選択回路１４における接点の切り換えにより、色差信号Ｐｂ、Ｐｒについて、ライン内挿処理における通過帯域幅を切り換えることができるようになされている。
【００２５】
バンドパスフィルタ（ＢＰＦ）１９は、通過帯域の中心周波数がクロマ信号Ｃのサブキャリア周波数に設定された狭帯域のフィルタ回路であり、輝度信号Ｙからクロマ信号のサブキャリア周波数成分を抽出して出力する。これによりこの実施の形態において、バンドパスフィルタ１９は、輝度信号及び色差信号におけるＹＣ分離の程度を検出する品質検出回路を構成するようになされている。
【００２６】
判定回路２０は、このバンドパスフィルタ１９の出力信号レベルを所定のしきい値αにより判定することにより、輝度信号Ｙ及び色差信号Ｐｂ、Ｐｒが正しくＹＣ分離されているか否か判定する。具体的に、判定回路２０は、バンドパスフィルタ１９の出力信号を検波し、この検波結果の信号レベルをしきい値αにより判定し、水平方向及び垂直方向の所定面積以上の領域において、検波結果の信号レベルがしきい値α以上の場合、輝度信号Ｙ及び色差信号Ｐｂ、Ｐｒが正しくＹＣ分離されていないと判断する。判定回路２０は、この判定結果により選択回路９、１４の接点を切り換えることによりライン内挿処理の通過帯域幅を切り換える。
【００２７】
すなわち判定回路２０は、輝度信号Ｙ及び色差信号Ｐｂ、Ｐｒが正しくＹＣ分離されていないと判断する場合、狭帯域ライン内挿フィルタ１２、１６にそれぞれ輝度信号Ｙ及び色差信号Ｐｂ、Ｐｒを出力するように、選択回路９、１４の接点を切り換え、これにより歪みを防止し、画質劣化を防止する。またこれ以外の場合には、輝度信号Ｙ及び色差信号Ｐｂ、Ｐｒが正しくＹＣ分離されていると判断し、広帯域ライン内挿フィルタ１１、１５にそれぞれ輝度信号Ｙ及び色差信号Ｐｂ、Ｐｒを出力するように、選択回路９、１４の接点を切り換え、これにより通過帯域幅の低下による画質劣化を防止する。
【００２８】
これによりこの実施の形態において、判定回路２０は、選択回路９、１４、ライン内挿フィルタ１１、１２、１５、１６と共に、品質検出回路による検出結果に基づいてライン内挿処理における通過帯域幅を切り換える制御回路を構成するようになされている。
【００２９】
（１−２）第１の実施の形態の動作
以上の構成において、このフォーマット変換装置１において、コンポジットによるビデオ信号ＳＶは、ＹＣ分離回路４において、輝度信号Ｙ及びクロマ信号ＣにＹＣ分離された後、このクロマ信号Ｃがデコーダ５によりデコードされて色差信号Ｐｂ、Ｐｒが生成される。これら輝度信号Ｙ及び色差信号Ｐｂ、Ｐｒは、走査線数変換回路２において、ライン内挿処理により走査線数が変換された後、続く後処理回路３により画素数等が変換され、これにより所望のフォーマットに変換されて出力される。
【００３０】
このような走査線数変換回路２における処理において、輝度信号Ｙ及び色差信号Ｐｂ、Ｐｒは、バンドパスフィルタ１９により輝度信号Ｙに含まれてなるクロマ信号Ｃのサブキャリア成分が抽出されることにより、ＹＣ分離の程度が検出される。また判定回路２０において、この抽出されたサブキャリア成分の信号レベルが所定のしきい値αにより判定され、これにより輝度信号Ｙ及び色差信号Ｐｂ、Ｐｒが正しくＹＣ分離されているか否か判定される。
【００３１】
輝度信号Ｙ及び色差信号Ｐｂ、Ｐｒは、この判定結果により、正しくＹＣ分離されていないと判断される場合には、判定回路２０による選択回路９、１４の接点の切り換えにより、遅延回路７、８、選択回路９、１４を介して狭帯域ライン内挿フィルタ１２、１６に入力され、この狭帯域ライン内挿フィルタ１２、１６によりライン内挿処理されて後処理回路３に出力される。これによりこの場合、輝度信号Ｙ及び色差信号Ｐｂ、Ｐｒは、漏れ込んだ他方の成分による妨害を防止して歪みの発生を防止し得、これによりこのような歪みによる画質劣化を有効に回避することができる。特にこのようなライン内挿処理により走査線数を増大させる場合にあって、正しくＹＣ分離できていない場合には、走査線数の増加に伴い、歪みもより一層増加したように感じられ易く、この実施の形態によれば、このような場合にあっても歪みの発生を防止して画質劣化を有効に回避することができる。
【００３２】
これに対して正しくＹＣ分離されていると判断される場合には、判定回路２０による選択回路９、１４の接点の切り換えにより、遅延回路７、８、選択回路９、１４を介して広帯域ライン内挿フィルタ１１、１５に入力され、この広帯域ライン内挿フィルタ１１、１５によりライン内挿処理されて後処理回路３に出力される。これによりこの場合、輝度信号Ｙ及び色差信号Ｐｂ、Ｐｒは、通過帯域幅の狭帯域化による画質劣化を防止することができる。
【００３３】
（１−３）第１の実施の形態の効果
以上の構成によれば、輝度信号及び色差信号におけるＹＣ分離の程度を検出し、この検出結果に基づいてライン内挿処理における通過帯域幅を切り換えることにより、ライン内挿処理による画質劣化を有効に回避することができる。
【００３４】
またこのとき、サブキャリア周波数成分を輝度信号から抽出し、所定のしきい値により判定してライン内挿処理における通過帯域幅を切り換えることにより、輝度信号を検出対象に設定してＹＣ分離の程度を検出し、ライン内挿処理における通過帯域幅を切り換えることができる。
【００３５】
具体的に、このバンドパスフィルタの出力信号レベルがしきい値以上の場合、ライン内挿処理における通過帯域幅を狭帯域に切り換え、バンドパスフィルタの出力信号レベルがしきい値未満の場合、ライン内挿処理における通過帯域幅を広帯域に切り換えることにより、画質劣化を有効に回避して走査線数を変換することができる。
【００３６】
（２）第２の実施の形態
図２は、本発明の第２の実施の形態に係るフォーマット変換装置を示すブロック図である。このフォーマット変換装置２１においては、走査線数変換回路２に代えて走査線数変換回路２２により走査線数を変換する点を除いて、図１について上述したフォーマット変換装置１と同一に構成される。またこの走査線数変換回路２２においては、輝度信号Ｙに代えて色差信号Ｐｂ、Ｐｒを検出対象に設定して、ライン相関検出回路２３によりＹＣ分離の程度を検出し、またこの検出結果を判定回路２４で判定して選択回路９、１４の接点を切り換える点を除いて、第１の実施の形態について上述した走査線数変換回路２と同一に構成される。
【００３７】
これによりこの実施の形態においても、輝度信号及び色差信号におけるＹＣ分離の程度を検出し、この検出結果に基づいてライン内挿処理における通過帯域幅を切り換えるようになされている。
【００３８】
すなわちライン相関検出回路２３は、色差信号Ｐｂ、Ｐｒにおけるライン相関を検出し、その検出結果である相関値を検出する。具体的に、ライン相関検出回路２３は、色差信号Ｐｂ、Ｐｒの連続するライン間において、隣接する画素との間で画素値を比較することにより、隣接するラインにおける類似の程度に応じて値の変化する相関値を順次検出して出力する。
【００３９】
判定回路２４は、この相関値を所定のしきい値βにより判定し、この判定結果により選択回路９、１４の接点を切り換えることにより、ライン内挿処理における通過帯域幅を切り換える。具体的に、判定回路２４は、相関値をしきい値βにより判定し、水平方向及び垂直方向の所定面積以上の領域において、相関値がしきい値βに満たないことによりこの領域ではライン相関が小さい場合に、この領域では輝度信号Ｙ及び色差信号Ｐｂ、Ｐｒが正しくＹＣ分離されていないと判断し、ライン内挿処理における通過帯域幅を狭帯域に切り換える。またこれ以外の場合では、ライン相関が大きく正しくＹＣ分離されていると判断し得ることにより、ライン内挿処理の通過帯域幅を広帯域に切り換える。
【００４０】
これらによりこの実施の形態において、ライン相関検出回路２３は、色差信号におけるライン相関を検出するライン相関検出回路を構成し、判定回路２４、選択回路９、１４、ライン内挿フィルタ１１、１２、１５、１６は、このライン相関検出回路による検出結果を所定のしきい値により判定し、該判定結果により、ライン内挿処理における通過帯域幅を切り換える制御回路を構成するようになされている。
【００４１】
この実施の形態のように、色差信号によりＹＣ分離の程度を判定してライン内挿処理における通過帯域幅を切り換えるようにしても、第１の実施の形態と同様の効果を得ることができる。
【００４２】
（３）第３の実施の形態
図３は、本発明の第３の実施の形態に係るフォーマット変換装置を示すブロック図である。このフォーマット変換装置３１においては、走査線数変換回路２に代えて走査線数変換回路３２により走査線数を変換する点を除いて、図１について上述したフォーマット変換装置１と同一に構成される。この走査線数変換回路３２においては、輝度信号Ｙのライン内挿処理については、輝度信号ＹによりＹＣ分離の程度を判定して通過帯域幅を切り換え、色差信号Ｐｂ、Ｐｒの内挿処理については、色差信号Ｐｂ、ＰｒによりＹＣ分離の程度を判定して通過帯域幅を切り換える。
【００４３】
これによりこの走査線数変換回路３２においては、第１の実施の形態について上述したバンドパスフィルタ１９、判定回路２０により、輝度信号Ｙ側の選択回路９を切り換える。また第２の実施の形態について上述したライン相関検出回路２３、判定回路２４により色差信号Ｐｂ、Ｐｒ側の選択回路１４を切り換える。
【００４４】
すなわち第１及び第２の実施の形態のように、輝度信号Ｙ又は色差信号Ｐｂ、Ｐｒの何れかによりＹＣ分離の程度を検出する場合にあって、一方の信号に他方の信号が漏れ込んでいる場合、この他方の信号においても、同様に漏れ込みがあることが多く、これによりこのような検出結果により輝度信号Ｙ及び色差信号Ｐｂ、Ｐｒの双方についてライン内挿処理における通過帯域幅を切り換えるようにして、実用上十分に画質劣化を防止することができる。
【００４５】
しかしながら一方の信号にのみ漏れ込みがある場合も考えられ、この場合に、第１及び第２の実施の形態のように、輝度信号Ｙ及び色差信号Ｐｂ、Ｐｒの双方についてライン内挿処理における通過帯域幅を切り換えるようにすれば、無駄に帯域を制限することになる。
【００４６】
これによりこの実施の形態のように、それぞれ輝度信号Ｙ及び色差信号Ｐｂ、ＰｒでＹＣ分離の程度を検出して通過帯域幅を切り換えることにより、一段と画質劣化を防止することができる。
【００４７】
（４）他の実施の形態
なお上述の実施の形態においては、本発明をフォーマット変換装置に適用して、コンポジットのビデオ信号を処理する場合について述べたが、本発明はこれに限らず、コンポーネントのビデオ信号等を処理する場合にあっても、このコンポーネントのビデオ信号等がコンポジットのビデオ信号から生成されたものである場合もあることにより、コンポーネントのビデオ信号等を処理する場合にも広く適用することができる。
【００４８】
また上述の実施の形態においては、通過帯域幅の異なる２つのライン内挿フィルタを切り換えて通過帯域幅を切り換える場合について述べたが、本発明はこれに限らず、１つのライン内挿フィルタのタップ係数の切り換えにより通過帯域幅を切り換える場合にも広く適用することができる。
【００４９】
また上述の実施の形態においては、輝度信号によるＹＣ分離の程度の判定により、又は色差信号によるＹＣ分離の程度の判定により、単に通過帯域幅を切り換える場合について述べたが、本発明はこれに限らず、輝度信号によるＹＣ分離の程度と色差信号によるＹＣ分離の程度とを総合して判定し、これにより通過帯域幅を切り換えるようにしてもよい。
【００５０】
また上述の実施の形態においては、フォーマット変換回路に本発明を適用する場合について述べたが、本発明はこれに限らず、種々のビデオ信号の処理に広く適用することができる。
【００５１】
【発明の効果】
上述のように本発明によれば、輝度信号及び色差信号におけるＹＣ分離の程度を検出し、この検出結果に基づいてライン内挿処理における通過帯域幅を切り換えることにより、ライン内挿処理による画質劣化を有効に回避することができる。
【図面の簡単な説明】
【図１】本発明の第１の実施の形態に係るフォーマット変換装置を示すブロック図である。
【図２】本発明の第２の実施の形態に係るフォーマット変換装置を示すブロック図である。
【図３】本発明の第３の実施の形態に係るフォーマット変換装置を示すブロック図である。
【符号の説明】
１、２１、３１……フォーマット変換装置、２、２２、３２……走査線数変換回路、４……ＹＣ分離回路、５……デコーダ、９、１４……選択回路、１１、１５……広帯域ライン内挿フィルタ、１２、１６……狭帯域ライン内挿フィルタ、１９……バンドパスフィルタ、２０、２４……判定回路、２３……ライン相関検出回路
【図１】
2005005826.tif 000003
【図２】
2005005826.tif 000004
【図３】
2005005826.tif 000005